(57)【要約】  本発明はタッチキーボードのキーを可変にする方法及び端末を開示する。当該方法は、ユーザーによる各キーのクリック率を記録することと、各キーのクリック率に基づき各キーのタッチ面積を設定することと、設定したタッチキーボードをスクリーンに表示することと、を含む。当該端末は、記録手段と、設定手段と、表示手段と、を備える。本発明によれば、各キーのクリック率に基づき各キーのタッチ面積を設定することにより、常用のキーのタッチ面積が大きくなり、入力ミスの確率を減らし、ユーザー体験を大いに高める。
2016525248.tif 000002
【特許請求の範囲】
【請求項１】
タッチキーボードのキーを可変にする方法であって、
ユーザーによる各キーのクリック率を記録することと、
各キーのクリック率に基づき各キーのタッチ面積を設定することと、
設定したタッチキーボードをスクリーンに表示することと、を含む方法。
【請求項２】
各キーのクリック率に基づき各キーのタッチ面積を設定するステップは、具体的に、
前記キーを、レベルごとに同一のタッチ面積に対応する複数の異なるレベルに分け、各キーのクリック率に基づき各キーを異なるレベルに割り当てることを含む請求項１に記載の方法。
【請求項３】
キーボードタッチイベントを受け取ると、タッチキーボードのキー可変機能を起動すると判定した場合、ユーザーによる各キーのクリック率を記録することをさらに含む請求項１に記載の方法。
【請求項４】
タッチキーボードの使用中、所定の時間を隔てて、各キーのクリック率に基づき各キーのタッチ面積を統括的に再設定する請求項１乃至３のいずれか一項に記載の方法。
【請求項５】
タッチキーボードのキー可変機能を再起動する場合、前回記録された各キーのクリック率に基づき各キーのタッチ面積を設定する請求項１乃至３のいずれか一項に記載の方法。
【請求項６】
請求項１乃至５のいずれか一項に記載の方法を適用する端末であって、
ユーザーによる各キーのクリック率を記録するように構成される記録手段と、
各キーのクリック率に基づき各キーのタッチ面積を設定するように構成される設定手段と、
設定したタッチキーボードをスクリーンに表示するように構成される表示手段と、を備える端末。
【請求項７】
前記設定手段は、具体的に、前記キーを、レベルごとに同一のタッチ面積に対応する複数の異なるレベルに分け、各キーのクリック率に基づき各キーを異なるレベルに割り当てるように構成される請求項６に記載の端末。
【請求項８】
キーボードタッチイベントを受け取ると、タッチキーボードのキー可変機能を起動すると判定した場合、前記記録手段をトリガーするように構成される判断手段をさらに含む請求項６に記載の端末。
【請求項９】
前記設定手段は、さらに、タッチキーボードの使用中、所定の時間を隔てて、各キーのクリック率に基づき各キーのタッチ面積を統括的に再設定するように構成される請求項６乃至８のいずれか一項に記載の端末。
【請求項１０】
前記設定手段は、さらに、タッチキーボードのキー可変機能を再起動する場合、前回記録された各キーのクリック率に基づき各キーのタッチ面積を設定するように構成される請求項６乃至８のいずれか一項に記載の端末。
【発明の詳細な説明】
【技術分野】
【０００１】
本発明は、通信技術分野に関し、特に、タッチキーボードのキーを可変にする方法及び端末に関する。
【背景技術】
【０００２】
消費電子製品の盛んな発展に伴って、タブレット、携帯電話、ＰＤＡ等の、タッチパネル付き機器がますます多くなり、タッチ式端末（例えば、携帯電話）には、いずれもタッチ式キーボードが備えられている。静電容量タッチパネル等が広く応用される中、選択、入力をするときに指の腹でタッチするのが普通である。指の腹は面積が大きいため、同時にいくつかのキャラクタにタッチすることがよくあり、入力するとき、ある程度不便である。
【発明の概要】
【発明が解決しようとする課題】
【０００３】
上述した分析に鑑み、本発明は、関連技術においてタッチキーボードのキーによる入力が不便である問題を解決できる、タッチキーボードのキーを可変にする方法及び端末を提供することを目的とする。
【課題を解決するための手段】
【０００４】
本発明の目的は、主に以下の技術案により達成される。
タッチキーボードのキーを可変にする方法であって、当該方法は、ユーザーによる各キーのクリック率を記録することと、各キーのクリック率に基づき各キーのタッチ面積を設定することと、設定したタッチキーボードをスクリーンに表示することと、を含む。
【０００５】
各キーのクリック率に基づき各キーのタッチ面積を設定するステップは、具体的に、前記キーを、レベルごとに同一のタッチ面積に対応する複数の異なるレベルに分け、各キーのクリック率に基づき各キーを異なるレベルに割り当てることを含むことが好ましい。
【０００６】
キーボードタッチイベントを受け取ると、タッチキーボードのキー可変機能を起動すると判定した場合、ユーザーによる各キーのクリック率を記録することをさらに含むことが好ましい。
【０００７】
タッチキーボードの使用中、所定の時間を隔てて、各キーのクリック率に基づき各キーのタッチ面積を統括的に再設定することが好ましい。
【０００８】
タッチキーボードのキー可変機能を再起動する場合、前回記録された各キーのクリック率に基づき各キーのタッチ面積を設定することが好ましい。
【０００９】
本発明は、上述した任意の１種の方法を適用する端末をさらに提供し、当該端末は、ユーザーによる各キーのクリック率を記録するように構成される記録手段と、各キーのクリック率に基づき各キーのタッチ面積を設定するように構成される設定手段と、設定したタッチキーボードをスクリーンに表示するように構成される表示手段と、を備える。
【００１０】
前記設定手段は、前記キーを、レベルごとに同一のタッチ面積に対応する複数の異なるレベルに分け、各キーのクリック率に基づき各キーを異なるレベルに割り当てるように構成されることが好ましい。
【００１１】
キーボードタッチイベントを受け取ると、タッチキーボードのキー可変機能を起動すると判定した場合、前記記録手段をトリガーするように構成される判断手段をさらに備えることが好ましい。
【００１２】
前記設定手段は、さらに、タッチキーボードの使用中、所定の時間を隔てて、各キーのクリック率に基づき各キーのタッチ面積を統括的に再設定するように構成されることが好ましい。
【００１３】
前記設定手段は、さらに、タッチキーボードのキー可変機能を再起動する場合、前回記録された各キーのクリック率に基づき各キーのタッチ面積を設定するように構成されることが好ましい。
【発明の効果】
【００１４】
本発明は、以下のような有益な効果を奏する。
本発明によるタッチキーボードのキーを可変にする方法及び端末によれば、各キーのクリック率に基づき各キーのタッチ面積を設定することにより、常用のキーのタッチ面積が大きくなり、入力ミスの確率を減らし、ユーザー体験を大いに高める。
【００１５】
本発明の他の特徴と利点を後で明細書にて説明し、その一部が明細書にて自明となったり、本発明を実施して分かったりするものである。本発明の目的と他の利点は、明細書、特許請求の範囲及び図面において特に述べた構造により実現され、取得される。
【図面の簡単な説明】
【００１６】
【図１】本発明の実施例１に係るタッチキーボードのキーを可変にする方法のフローチャートである。
【図２】本発明の実施例１に係る端末におけるタッチキーボードを示す模式図である。
【図３】本発明の実施例２に係る端末の構造を示す図である。
【発明を実施するための形態】
【００１７】
以下、図面を結合して本発明の好適な実施例を具体的に説明する。ここで、図面は本願の一部を構成する他、本発明の実施例と共に本発明の原理を解釈するためのものである。それにより本発明の主題が不明瞭になりかねない場合、明瞭化と簡素化のために、本文で説明する部品のうち機能と構造が既知のものについて、その詳細な説明を省略する。
【実施例１】
【００１８】
本発明の実施例は、タッチキーボードのキーを可変にする方法を提供し、図１を参照して、当該方法は以下のステップを含む。
キーボードタッチイベントを受け取ると、タッチキーボードのキー可変機能を起動するか否かを判断し、そうであれば、次のステップに進む（ステップＳ１０１）。
ユーザーによる各キーのクリック率を記録する（ステップＳ１０２）。
各キーのクリック率に基づき、各キーのタッチ面積を設定する（ステップＳ１０３）。
【００１９】
当該ステップＳ１０３は、キーを、レベルごとに一定の数のキーに対応し且つ同一のタッチ面積に対応する複数の異なるレベルに分け、各キーのクリック率に基づき各キーを異なるレベルに割り当てることを含む。
【００２０】
勿論、当業者は需要に応じて他に任意に設定してもよく、例えば、各キーのクリック率に基づき各キーのタッチ面積を順次に設定したりしてもよい。
【００２１】
図２は、本発明の実施例に係るタッチキーボードを示す模式図であり、当該図によると、一部のキーのタッチ面積が大きくなっているが、ユーザーがタッチするとき便利になる。
【００２２】
設定したタッチキーボードをスクリーンに表示する（ステップＳ１０４）。
【００２３】
本発明の実施例において、所定の時間を隔てて、各キーのクリック率に基づき各キーのタッチ面積を設定し、或いは、タッチキーボードのキー可変機能を再起動する場合、前回記録された各キーのクリック率に基づき各キーのタッチ面積を設定してもよい。
【００２４】
次に、例を挙げて、本発明の上述した方法をさらに説明する。
まず、タッチキーボードのキー可変機能を起動するか否かについて判断する。そうであれば、次のステップに進み、そうでなければ、終了する。
【００２５】
キーのクリック率を記録し、キーのクリック率に基づきタッチキーボードを描き表示する。
【００２６】
本発明の実施例に係るタッチキーボードのキーを可変にする方法によれば、各キーのクリック率に基づき各キーのタッチ面積を設定することにより、常用のキーのタッチ面積が大きくなり、入力ミスの確率を減らし、ユーザー体験を大いに高める。
【実施例２】
【００２７】
本発明の実施例は、図３を参照して、ユーザーによる各キーのクリック率を記録するように構成される記録手段と、各キーのクリック率に基づき各キーのタッチ面積を設定するように構成される設定手段と、設定したタッチキーボードをスクリーンに表示するように構成される表示手段と、を備える端末を提供する。
【００２８】
（実施の形態１）
設定手段は、キーを、レベルごとに一定の数のキーに対応し且つ同一のタッチ面積に対応する複数の異なるレベルに分け、各キーのクリック率に基づき各キーを異なるレベルに割り当てるように構成される。
【００２９】
（実施の形態２）
判断手段は、キーボードタッチイベントを受け取ると、タッチキーボードのキー可変機能を起動するか否かを判断するように構成される。そうであれば、記録手段をトリガーする。
【００３０】
（実施の形態３）
設定手段は、さらに、所定の時間を隔てて、各キーのクリック率に基づき各キーのタッチ面積を設定するように構成される。
【００３１】
（実施の形態４）
設定手段は、さらに、タッチキーボードのキー可変機能を再起動する場合、前回記録された各キーのクリック率に基づき各キーのタッチ面積を設定するように構成される。
【００３２】
総じていえば、本発明に係るタッチキーボードのキーを可変にする方法及び端末によれば、各キーのクリック率に基づき各キーのタッチ面積を設定することによって、常用のキーのタッチ面積が大きくなり、入力ミスの確率を減らし、ユーザー体験を大いに高めることができる。
【００３３】
以上は、あくまでも本発明の好適な具体的な実施例を説明したが、本発明の保護範囲はこれに限定されず、当業者が本発明の開示された技術的範囲内で容易に想到し得る如何なる変更或いは置換も、全て本発明の保護範囲内に含まれるべきである。それゆえ、本発明の保護範囲は、特許請求の範囲に記載の保護範囲に基づくものである。
【産業上の利用可能性】
【００３４】
上述したように、本発明の実施例に係るタッチキーボードのキーを可変にする方法及び端末は、各キーのクリック率に基づき各キーのタッチ面積を設定することにより、常用のキーのタッチ面積が大きくなり、入力ミスの確率を減らし、ユーザー体験を大いに高めるという有益な効果を達成している。
【図１】
2016525248.tif 000003
【図２】
2016525248.tif 000004
【図３】
2016525248.tif 000005
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
タッチキーボードのキーを可変にする方法であって、
ユーザーによる各キーのクリック率を記録することと、
各キーのクリック率に基づき各キーのタッチ面積を設定することと、
設定したタッチキーボードをスクリーンに表示することと、を含む方法。
【請求項２】
各キーのクリック率に基づき各キーのタッチ面積を設定するステップは、具体的に、
前記キーを、レベルごとに同一のタッチ面積に対応する複数の異なるレベルに分け、各キーのクリック率に基づき各キーを異なるレベルに割り当てることを含む請求項１に記載の方法。
【請求項３】
前記ユーザーによる各キーのクリック率を記録することは、
キーボードタッチイベントを受け取ると、タッチキーボードのキー可変機能を起動すると判定した場合、ユーザーによる各キーのクリック率を記録することを含む請求項１に記載の方法。
【請求項４】
タッチキーボードの使用中、所定の時間を隔てて、各キーのクリック率に基づき各キーのタッチ面積を統括的に再設定する請求項１乃至３のいずれか一項に記載の方法。
【請求項５】
タッチキーボードのキー可変機能を再起動する場合、前回記録された各キーのクリック率に基づき各キーのタッチ面積を設定する請求項１乃至３のいずれか一項に記載の方法。
【請求項６】
請求項１乃至５のいずれか一項に記載の方法を適用する端末であって、
ユーザーによる各キーのクリック率を記録するように構成される記録手段と、
各キーのクリック率に基づき各キーのタッチ面積を設定するように構成される設定手段と、
設定したタッチキーボードをスクリーンに表示するように構成される表示手段と、を備える端末。
【請求項７】
前記設定手段は、具体的に、前記キーを、レベルごとに同一のタッチ面積に対応する複数の異なるレベルに分け、各キーのクリック率に基づき各キーを異なるレベルに割り当てるように構成される請求項６に記載の端末。
【請求項８】
キーボードタッチイベントを受け取ると、タッチキーボードのキー可変機能を起動すると判定した場合、前記記録手段をトリガーするように構成される判断手段をさらに含む請求項６に記載の端末。
【請求項９】
前記設定手段は、さらに、タッチキーボードの使用中、所定の時間を隔てて、各キーのクリック率に基づき各キーのタッチ面積を統括的に再設定するように構成される請求項６乃至８のいずれか一項に記載の端末。
【請求項１０】
前記設定手段は、さらに、タッチキーボードのキー可変機能を再起動する場合、前回記録された各キーのクリック率に基づき各キーのタッチ面積を設定するように構成される請求項６乃至８のいずれか一項に記載の端末。
【請求項１１】
各キーの前記クリック率は、あるキーをクリックする必要があるとき、他のキーが特定の期間で間違ってクリックされた回数を表す誤クリック率と、あるキーをクリックする必要があるとき、当該キーが特定の期間でクリックされた回数を表す正確クリック率のうちの少なくとも一つを含む請求項１に記載の方法。
【手続補正２】
【補正対象書類名】明細書
【補正対象項目名】００２０
【補正方法】変更
【補正の内容】
【００２０】
勿論、当業者は需要に応じて他に任意に設定してもよく、例えば、各キーのクリック率に基づき各キーのタッチ面積を順次に設定したりしてもよい。
一つの代替の実施例として、各キーのクリック率は、あるキーをクリックする必要があるとき、他のキーが特定の期間で間違ってクリックされた回数を表す誤クリック率と、あるキーをクリックする必要があるとき、当該キーが特定の期間でクリックされた回数を表す正確クリック率のうちの少なくとも一つを含む。
さらに、キーのクリック率に基づきタッチ面積を設定する代替の一実施例において、キーは、その誤クリック率又は正確クリック率が相対的に高ければ、相対的に大きなタッチ面積が設定され、その一方、キーは、その誤クリック率又は正確クリック率が相対的に低ければ、相対的に小さなタッチ面積が設定される。
【国際調査報告】
2016525248.tif 000006
2016525248.tif 000007
2016525248.tif 000008
2016525248.tif 000009